(57)【要約】【課題】プロテクタ内にワイヤーハーネスを収容する際に、電線のはみ出しを抑制することを目的とする。【解決手段】プロテクタ付ワイヤーハーネス１０は、複数の電線１４を含むワイヤーハーネス１２と、ワイヤーハーネス１２を収容するプロテクタ２０とを備える。プロテクタ２０は、底板部２４の両側部に一対の側壁部２６が立設され、内部にワイヤーハーネス１２が収容された本体部２２と、一対の側壁部２６の先端部よりも基端側寄りの位置で本体部２２により支持され、複数の電線１４のうちの一部を底板部２４に向けて押える中間押え部３０とを備える。【選択図】図１
2015146673.tif 000002
【特許請求の範囲】
【請求項１】
複数の電線を含むワイヤーハーネスと、
底板部の両側部に一対の側壁部が立設され、内部に前記ワイヤーハーネスが収容された本体部と、前記一対の側壁部の先端部よりも基端側寄りの位置で前記本体部により支持され、前記複数の電線のうちの一部を前記底板部に向けて押える中間押え部とを含むプロテクタと、
を備えるプロテクタ付ワイヤーハーネス。
【請求項２】
請求項１に記載のプロテクタ付ワイヤーハーネスであって、
前記プロテクタは、前記一対の側壁部の先端部間の開口を閉じる蓋部をさらに含む、プロテクタ付ワイヤーハーネス。
【請求項３】
請求項１又は請求項２に記載のプロテクタ付ワイヤーハーネスであって、
前記プロテクタは、前記底板部の内面側の方向に曲る曲げ部分を含み、前記中間押え部は、前記曲げ部分において底板部から浮こうとする前記ワイヤーハーネスを前記底板部に向けて押える位置に設けられている、プロテクタ付ワイヤーハーネス。
【請求項４】
請求項１〜請求項３のいずれか１項に記載のプロテクタ付ワイヤーハーネスであって、
前記プロテクタは、前記中間押え部の外側から、前記複数の電線の少なくとも一部を前記底板部に向けて押える押え部を含むプロテクタ付ワイヤーハーネス。
【請求項５】
請求項４に記載のプロテクタ付ワイヤーハーネスであって、
前記押え部の延在方向中間部の少なくとも一部が、前記中間押え部に対して前記ワイヤーハーネスの延在方向において重なる位置に設けられており、
前記押え部の少なくとも一方の端部が、前記中間押え部の端部を避けて分岐するように形成された分岐端部に形成され、前記分岐端部が、前記一対の側壁部の一方に係止固定されている、プロテクタ付ワイヤーハーネス。
【請求項６】
請求項４に記載のプロテクタ付ワイヤーハーネスであって、
前記中間押え部と前記押え部とが前記ワイヤーハーネスの延在方向において異なる位置に設けられている、プロテクタ付ワイヤーハーネス。
【請求項７】
請求項１〜請求項６のいずれか１項に記載のプロテクタ付ワイヤーハーネスであって、
前記中間押え部の一端部が前記一対の側壁部の一方に対してヒンジ部を介して連結され、前記中間押え部の他端部には前記一対の側壁部の他方に設けられた被ロック部に対して係止可能なロック部が設けられている、プロテクタ付ワイヤーハーネス。
【請求項８】
ワイヤーハーネスを収容するプロテクタであって、
底板部の両側部に一対の側壁部が立設され、内部にワイヤーハーネスを収容可能な本体部と、
前記一対の側壁部の先端部よりも基端側寄りの位置で前記本体部により支持され、前記ワイヤーハーネスに含まれる複数の電線のうちの一部を前記底板部に向けて押える中間押え部と、
を備えるプロテクタ。
【請求項９】
底板部の両側部に一対の側壁部が立設された本体部を含むプロテクタ内にワイヤーハーネスを収容してプロテクタ付ワイヤーハーネスを製造する方法であって、
(a)前記本体部内に前記ワイヤーハーネスに含まれる複数の電線のうちの一部を収容する工程と、
(b)前記一対の側壁部の先端部よりも基端側寄りに位置させた中間押え部によって、前記一部の電線を前記底板部に向けて押える工程と、
(c)残りの電線を前記本体部内に収容して、前記一対の側壁部の先端部よりも内側に維持する工程と、
を備えるプロテクタ付ワイヤーハーネスの製造方法。
【発明の詳細な説明】
【技術分野】
【０００１】
この発明は、ワイヤーハーネスをプロテクタによって保護する技術に関する。
【背景技術】
【０００２】
特許文献１は、電線群に外装されるプロテクタを開示している。特許文献１に開示のプロテクタは、プロテクタ本体と蓋とを備えている。また、プロテクタ本体の屈折部の下側には、蓋とは別に、電線押え部が設けられている。そして、蓋を被せる前に、屈折部において電線押え部によって電線群を押圧することにより、電線のはみ出しを防ぐようにしている。
【先行技術文献】
【特許文献】
【０００３】
【特許文献１】特開２００８−９２６３８号公報
【発明の概要】
【発明が解決しようとする課題】
【０００４】
しかしながら、特許文献１に開示の技術でも、ワイヤーハーネスに含まれる電線の本数が多く、ワイヤーハーネスに含まれる電線が収容部内の大部分の空間を占有してしまうような場合には、電線がはみ出してしまう場合がある。例えば、プロテクタの横断面で観察した場合に、収容空間の断面積に対して複数の電線の総断面積の割合が８０％を越すような場合には、電線がはみ出しやすい。
【０００５】
このような場合において、複数の電線が蛇行して相互に交差し合った状態で収容部内に収容されてしまうと、内部の電線間に無駄な空間が多く散在してしまう。そして、全ての電線を収容した後に、ワイヤーハーネスを押え付けたとしても、上記状態を解消することは困難であり、結果、複数の電線が収容部内に収りきらない可能性が生じ得るからである。
【０００６】
なお、複数の電線を複数のグループ単位（仮結或はサブアッシーと呼ばれるグループ単位）で収容部内に収容する場合にも、最初に収容したグループの電線の収容状態が乱れていると上記と同様の状況が生じうる。
【０００７】
そこで、本発明は、プロテクタ内にワイヤーハーネスを収容する際に、電線のはみ出しを抑制することを目的とする。
【課題を解決するための手段】
【０００８】
上記課題を解決するため、第１の態様に係るプロテクタ付ワイヤーハーネスは、複数の電線を含むワイヤーハーネスと、底板部の両側部に一対の側壁部が立設され、内部に前記ワイヤーハーネスが収容された本体部と、前記一対の側壁部の先端部よりも基端側寄りの位置で前記本体部により支持され、前記複数の電線のうちの一部を前記底板部に向けて押える中間押え部とを含むプロテクタと、を備える。
【０００９】
第２の態様は、第１の態様に係るプロテクタ付ワイヤーハーネスであって、前記プロテクタは、前記一対の側壁部の先端部間の開口を閉じる蓋部をさらに含む。
【００１０】
第３の態様は、第１又は第２の態様に係るプロテクタ付ワイヤーハーネスであって、前記プロテクタは、前記底板部の内面側の方向に曲る曲げ部分を含み、前記中間押え部は、前記曲げ部分において底板部から浮こうとする前記ワイヤーハーネスを前記底板部に向けて押える位置に設けられているものである。
【００１１】
第４の態様は、第１〜第３のいずれか１つの態様に係るプロテクタ付ワイヤーハーネスであって、前記プロテクタは、前記中間押え部の外側から、前記複数の電線の少なくとも一部を前記底板部に向けて押える押え部を含むものである。
【００１２】
第５の態様は、第４の態様に係るプロテクタ付ワイヤーハーネスであって、前記押え部の延在方向中間部の少なくとも一部が、前記中間押え部に対して前記ワイヤーハーネスの延在方向において重なる位置に設けられており、前記押え部の少なくとも一方の端部が、前記中間押え部の端部を避けて分岐するように形成された分岐端部に形成され、前記分岐端部が、前記一対の側壁部の一方に係止固定されているものである。
【００１３】
第６の態様は、第４の態様に係るプロテクタ付ワイヤーハーネスであって、前記中間押え部と前記押え部とが前記ワイヤーハーネスの延在方向において異なる位置に設けられているものである。
【００１４】
第７の態様は、第１〜第６のいずれか１つの態様に係るプロテクタ付ワイヤーハーネスであって、前記中間押え部の一端部が前記一対の側壁部の一方に対してヒンジ部を介して連結され、前記中間押え部の他端部には前記一対の側壁部の他方に設けられた被ロック部に対して係止可能なロック部が設けられているものである。
【００１５】
第８の態様は、ワイヤーハーネスを収容するプロテクタであって、底板部の両側部に一対の側壁部が立設され、内部にワイヤーハーネスを収容可能な本体部と、前記一対の側壁部の先端部よりも基端側寄りの位置で前記本体部により支持され、前記ワイヤーハーネスに含まれる複数の電線のうちの一部を前記底板部に向けて押える中間押え部と、を備える。
【００１６】
第９の態様は、底板部の両側部に一対の側壁部が立設された本体部を含むプロテクタ内にワイヤーハーネスを収容してプロテクタ付ワイヤーハーネスを製造する方法であって、(a)前記本体部内に前記ワイヤーハーネスに含まれる複数の電線のうちの一部を収容する工程と、(b)前記一対の側壁部の先端部よりも基端側寄りに位置させた中間押え部によって、前記一部の電線を前記底板部に向けて押える工程と、(c)残りの電線を前記本体部内に収容して、前記一対の側壁部の先端部よりも内側に維持する工程と、を備える。
【発明の効果】
【００１７】
第１〜第９の態様によると、複数の電線のうちの一部が中間押え部によって底板部に向けて押えられた状態で、残りの電線が本体部内に収容される。このため、複数の電線の一部を収容した状態で、各電線間に生じる隙間を少なくすることができ、プロテクタ内にワイヤーハーネスを収容する際に、電線のはみ出しを抑制することができる。
【００１８】
第２の態様によると、プロテクタの開口を蓋部によって閉じることができる。
【００１９】
第３の態様によると、プロテクタの曲げ部分において浮く傾向にあるワイヤーハーネスを、中間押え部によって有効に押えることができる。これにより、電線のはみ出しをより確実に抑制できる。
【００２０】
第４の態様によると、押え部によって複数の電線の少なくとも一部を押えるため、電線のはみ出しをより確実に抑制できる。
【００２１】
第５の態様によると、押え部の一方の端部を分岐端部に形成して、前記中間押え部の端部を避けるようにすることで、当該分岐端部を側壁部に係止するための構成を容易に形成することができる。
【００２２】
第６の態様によると、中間押え部と前記押え部とを固定するための構成を容易に形成することができる。
【００２３】
第７の態様によると、本体部に対して中間押え部を一体化できるため、その取扱が容易となる。
【図面の簡単な説明】
【００２４】
【図１】実施形態に係るプロテクタ付ワイヤーハーネスの概略分解斜視図である。
【図２】プロテクタの概略部分斜視図である。
【図３】プロテクタの概略部分斜視図である。
【図４】プロテクタの概略部分斜視図である。
【図５】プロテクタ内にワイヤーハーネスを収容する工程を示す説明図である。
【図６】プロテクタ内にワイヤーハーネスを収容する工程を示す説明図である。
【図７】プロテクタ内にワイヤーハーネスを収容する工程を示す説明図である。
【図８】プロテクタ内にワイヤーハーネスを収容する工程を示す説明図である。
【図９】プロテクタ内にワイヤーハーネスを収容する工程を示す説明図である。
【図１０】第１変形例に係るプロテクタを示す概略部分平面図である。
【図１１】同上のプロテクタを示す概略部分側面図である。
【図１２】第２変形例に係るプロテクタを示す概略部分側面図である。
【発明を実施するための形態】
【００２５】
以下、実施形態に係るプロテクタ付ワイヤーハーネス、プロテクタ及びプロテクタ付ワイヤーハーネスの製造方法について説明する。
【００２６】
図１はプロテクタ付ワイヤーハーネス１０の概略分解斜視図であり、図２〜図４はプロテクタ２０の概略部分斜視図である。図２は中間押え部３０及び押え部３４を開いた状態を示しており、図３は中間押え部３０を閉じた状態を示しており、図４は中間押え部３０及び押え部３４を閉じた状態を示している。
【００２７】
プロテクタ付ワイヤーハーネス１０は、ワイヤーハーネス１２と、プロテクタ２０とを備える。
【００２８】
ワイヤーハーネス１２は、電力の供給或は信号の通信を行う電線１４を複数含んでおり（図５〜図９参照）、自動車、バイク等の車両において電気機器同士を接続する配線材として用いられる。ワイヤーハーネス１２は、少なくともプロテクタ２０に収容された状態では集合した状態に維持される。ワイヤーハーネス１２は、光ファイバを含んでいてもよい。ワイヤーハーネスは、その延在方向中間位置で分岐していてもよい。
【００２９】
プロテクタ２０は、本体部２２と、中間押え部３０と、押え部３４と、蓋部４０とを備える。ここでは、本体部２２と中間押え部３０と押え部３４とは、溶融した樹脂を射出成型金型に射出することによって一体形成されている。これとは別に、蓋部４０が、溶融した樹脂を射出成型金型に射出することによって一体形成されている。
【００３０】
本体部２２は、底板部２４と、一対の側壁部２６とを備える。
【００３１】
底板部２４は、細長板状に形成されている。ここでは、底板部２４は、２箇所で曲っている。すなわち、底板部２４は、その一方主面側に曲る部分と、その他方主面側に曲る部分とを有している。
【００３２】
一対の側壁部２６は、底板部２４の両側部からその一方主面側（図１では上方）に向けて立上がるように形成されている。そして、底板部２４と一対の側壁部２６との間に、ワイヤーハーネス１２を収容可能な空間が形成される。なお、ここでは、底板部２４の両側部から垂直に一対の側壁部２６が立上がっているが、これらの部分が湾曲部を介して繋がっていてもよい。
【００３３】
本体部２２を全体としてみると、底板部２４の内面側の方向に曲る曲げ部分２２ａと、その反対側に曲る曲げ部分２２ｂとを含む。換言すれば、本体部２２を側方から見て、曲げ部分２２ａは、一対の側壁部２６側に凹となる部分であり、曲げ部分２２ｂは一対の側壁部２６側に凸となる部分である。
【００３４】
なお、本体部２２の両端部において、底板部２４の両端部には、側壁部２６よりも外方に延出するハーネス固定片２４ｐが突設されている。本体部２２内にワイヤーハーネス１２が収容された状態で、ワイヤーハーネス１２及びハーネス固定片２４ｐに粘着テープ等が巻回される。
【００３５】
蓋部４０は、一対の側壁部２６の先端部間の開口、即ち、底板部２４とは反対側の開口を閉じるように構成されている。
【００３６】
より具体的には、蓋部４０は、ハーネス固定片２４ｐを除き、上記底板部２４と同様の板形状に形成されている。そして、蓋部４０の両側縁部を、一対の側壁部２６の先端縁部上に一致させるようにすることで、蓋部４０が本体部２２の開口を閉じることができる。
【００３７】
また、蓋部４０の両側部には、本体部２２側に向けて突出する蓋ロック部４２が設けられている。本体部２２の一対の側壁部２６の先端部外面には、蓋ロック部４２を係止可能な蓋ロック部受部２７が設けられている。蓋ロック部４２は、方形板状部分の先端部に抜止め突起が形成された構成とされ、蓋ロック部受部２７は、蓋ロック部４２を挿入可能な孔が形成された構成とされている。
【００３８】
そして、本体部２２内にワイヤーハーネス１２を収容した状態で、蓋部４０で本体部２２の開口を閉じ、蓋ロック部４２を蓋ロック部受部２７に挿入して抜止め係止させると、蓋部４０が本体部２２の開口を閉じた状態に維持される。また、この状態で、ワイヤーハーネス１２が本体部２２内に収容された状態に維持される。
【００３９】
ここで、元々直線状態をなしていたワイヤーハーネス１２を、本体部２２内に収容しようとすると、ワイヤーハーネス１２は前記曲げ部分２２ａにおいて、底板部２４から浮き、一対の側壁部２６から上方にはみ出しやすい。とくに、ワイヤーハーネス１２に含まれる電線１４の本数が多いと、そのような状況が顕著に発生し得る。
【００４０】
そこで、中間押え部３０及び押え部３４が、曲げ部分２２ａにおいて底板部２４から浮こうとするワイヤーハーネス１２を底板部に向けて押える位置に設けられている。
【００４１】
まず、中間押え部３０は、一対の側壁部２６の先端部よりも基端側寄りの位置で本体部２２により支持されるようになっている。そして、ワイヤーハーネス１２に含まれる複数の電線１４のうちの一部を底板部２４に向けて押えるように構成されている。
【００４２】
押え部３４は、中間押え部３０の外側から、ワイヤーハーネス１２に含まれる複数の電線１４の少なくとも一部を底板部２４に向けて押えるように構成されている。ここでは、押え部３４は、一対の側壁部２６の先端部の位置で本体部２２により支持され、ワイヤーハーネス１２に含まれる複数の電線１４の全てを底板部２４に向けて押えるように構成されている。
【００４３】
より具体的に説明すると、中間押え部３０が、上記曲げ部分２２ａから本体部２２の一端部側の位置に設けられている。中間押え部３０は、曲げ部分２２ａになるべく近い位置に設けられることが好ましい。ここでは、中間押え部３０は、曲げ部分２２ａから押え部３４のロックに必要な距離をあけた位置に設けられている。
【００４４】
中間押え部３０は、底板部２４の幅寸法に応じた長さ寸法の帯板状部３１と、帯板状部３１の先端部に設けられたロック部３２とを備える。
【００４５】
帯板状部３１の基端部は、一方の側壁部２６に対してその立設方向中間位置でヒンジ部３１ｈを介して開閉可能に連結されている。ここでは、一方の側壁部２６には、その先端側縁部からその立設方向途中位置（ここでは中央位置）に至る程度の凹部２６ｇが形成されており、その凹部２６ｇの縁部分に対して帯板状部３１がヒンジ部３１ｈを介して連結されている。ヒンジ部３１ｈは、本体部２２及び帯板状部３１に対して一体形成された部分であり、その他の部分よりは薄く形成されていることが好ましい。
【００４６】
ロック部３２は、帯板状部３１の先端部より帯板状部３１の一方主面側に突出するように設けられている。このロック部３２は、他方の側壁部２６に設けられた被ロック部２８に対して係止可能に構成されている。
【００４７】
すなわち、ロック部３２は、方形板状部分の先端部に抜止め突起３２ｐが形成された構成とされている。抜止め突起３２ｐは、先端側に向けて徐々に高さ寸法が低くなる形状に形成されている。
【００４８】
また、被ロック部２８は、他方の側壁部２６の内面に突設され、上記ロック部３２を挿入可能な孔２８ｈを有する筒形状に形成されている。被ロック部２８の上面は、一方の側壁部２６における中間押え部３０の支持位置と同程度の位置に設けられている。また、他方の側壁部２６であって孔２８ｈ内の位置には、抜止め突起３２ｐを係止可能な係止孔２８ｈａが形成されている。
【００４９】
そして、中間押え部３０を一対の側壁部２６間に掛渡すように、ヒンジ部３１ｈ周りに回転させ、ロック部３２を被ロック部２８に挿入すると、ロック部３２の抜止め突起３２ｐが係止孔２８ｈａに係止される。これにより、中間押え部３０が一対の側壁部２６の高さ方向中間位置において一対の側壁部２６間に掛渡すように配設された状態に支持される。
【００５０】
また、押え部３４は、上記曲げ部分２２ａから本体部２２の一端部側の位置に設けられている。押え部３４は、曲げ部分２２ａになるべく近い位置に設けられることが好ましい。ここでは、押え部３４は、中間押え部３０と同位置に設けられている。
【００５１】
すなわち、押え部３４は、板状部３４ｐと、板状部３４ｐの先端部に設けられたロック部３５、３５とを備える。
【００５２】
板状部３４ｐは、方形板状部分３４ａと、分岐端部３４ｂとを備え、平面視においてＹ字状に形成されている。
【００５３】
方形板状部分３４ａの基端部は、他方の側壁部２６の先端側縁部に対してヒンジ部３４ａｈを介して開閉可能に連結されている。ヒンジ部３４ａｈは、本体部２２及び押え部３４に対して一体形成された部分であり、その他の部分よりは薄く形成されていることが好ましい。
【００５４】
本体部２２の延在方向において、中間押え部３０の基端部の位置と、方形板状部分３４ａの基端部の位置とは同じ位置であり、従って、押え部３４の延在方向中間部の少なくとも一部である方形板状部分３４ａが、中間押え部３０に対してワイヤーハーネス１２の延在方向において重なるようになっている。これにより、中間押え部３０と、押え部３４とが、ワイヤーハーネス１２をその延在方向において同じ位置で押えることができるようになっている。
【００５５】
また、分岐端部３４ｂは、方形板状部分３４ａの先端部から中間押え部３０の先端部を避けるようにＹ字状に分岐するように形成されている。この分岐端部３４ｂの２つの先端部より分岐端部３４ｂの一方主面側に突出するようにロック部３５、３５が設けられている。
【００５６】
ロック部３５は、方形板状部分の先端部に抜止め突起３５ｐが形成された構成とされている。抜止め突起３５ｐは、先端側に向けて徐々に高さ寸法が低くなる形状に形成されている。
【００５７】
また、このロック部３５が係止可能な被ロック部２９が、一方の側壁部２６の外面に設けられている。ここでは、２つの被ロック部２９が一方の側壁部２６の先端部であって中間押え部３０の基端部を挟む位置に設けられている。被ロック部２９は、上記ロック部３５を挿入可能な孔２９ｈを有する環状又は筒形状に形成されている。
【００５８】
そして、押え部３４を一対の側壁部２６間に掛渡すように、ヒンジ部３４ａｈ周りに回転させ、一対のロック部３５を被ロック部２９に挿入すると、ロック部３５の抜止め突起３５ｐが被ロック部２９の孔２９ｈに抜止め係止される。これにより、押え部３４が一対の側壁部２６の先端部の位置で一対の側壁部２６間に掛渡すように配設された状態に支持される。
【００５９】
上記プロテクタ２０内にワイヤーハーネス１２を収容してプロテクタ付ワイヤーハーネス１０を製造する方法について、図５〜図９を参照して説明する。なお、図５〜図９では、プロテクタ２０を模式的に示している。
【００６０】
まず、初期状態では、中間押え部３０及び押え部３４は開いた状態とされている。この状態で、図５に示すように、収容対象となるワイヤーハーネス１２に含まれる複数の電線１４の一部を本体部２２内に収容する。
【００６１】
この後、図６に示すように、電線１４の本数が少ない状態で、その上方から作業者が人手等でならして、電線１４の偏り及び交差をなくすようにする。この状態では、電線１４の本数が少ないため、多数の電線１４がある場合と比較して、電線１４の偏り及び交差をより確実になくし、電線１４間の隙間を極力すくなくすることができる。
【００６２】
次に、図７に示すように、中間押え部３０をヒンジ部３１ｈ周りに回転させて、そのロック部３２を被ロック部２８に係止させる。これにより、一対の側壁部２６の突出方向中間部において、中間押え部３０によって一部の電線１４が底板部２４に向けて押えられる。
【００６３】
そして、図８に示すように、残りの電線１４を本体部２２内に収容する。この後、必要に応じて、複数の電線１４を人手等でならして、中間押え部３０の上側でも電線１４の偏り及び交差をなくすようにする。
【００６４】
この後、図９に示すように、押え部３４をヒンジ部３４ａｈ周りに回転させて、そのロック部３５を被ロック部２９に係止させる。これにより、一対の側壁部２６間で、複数の電線１４が底板部２４に向けて押えられ、一対の側壁部２６の先端部よりも内側に維持される。
【００６５】
そして、本体部２２に蓋部４０を取付けることで、プロテクタ付ワイヤーハーネス１０が完成する。
【００６６】
以上のように構成されたプロテクタ付ワイヤーハーネス１０、プロテクタ２０及びプロテクタ付ワイヤーハーネス１０の製造方法によると、複数の電線１４のうちの一部が中間押え部３０によって底板部２４に向けて押えられた状態で、残りの電線１４が本体部２２内に収容される。このため、複数の電線１４の一部を収容した状態で、各電線１４間に生じる隙間を少なくすることができ、プロテクタ２０内にワイヤーハーネス１２を収容する際に、電線１４のはみ出しを抑制することができる。
【００６７】
特に、プロテクタの長さが長い場合、ワイヤーハーネスの長さが長い場合には、プロテクタに対するワイヤーハーネスの位置を安定させるために、ワイヤーハーネスを一定位置に支持する設備或は治具等の使用が想定されるところ、上記構成によると、そのような治具の使用を省くことも可能であり、この点から、設備及び作業の簡素化が可能となる。
【００６８】
また、本体部２２の開口を蓋部４０によって閉じているため、電線１４が本体部２２からこぼれることをより確実に抑制し、ワイヤーハーネス１２をより確実に保護することができる。
【００６９】
なお、蓋部４０が設けられることは必須ではない。例えば、本体部２２内にワイヤーハーネス１２を収容した状態で、その周りに粘着テープ、結束バンド等を巻付けて、本体部内にワイヤーハーネスを収容した状態を保持するようにしてもよい。
【００７０】
また、曲げ部分２２ａ近くにおいて浮く傾向にあるワイヤーハーネス１２を押えることが可能な位置に、中間押え部３０が設けられているため、ワイヤーハーネス１２が浮き易い箇所で、当該ワイヤーハーネス１２を中間押え部３０によって有効に押えることができ、電線１４のはみ出しをより確実に抑制できる。
【００７１】
もっとも、電線１４のはみ出しは、上記曲げ部分２２ａ以外でも発生する可能性があるため、中間押え部３０等に係る構成は、プロテクタの直線部分に適用されてもよい。
【００７２】
また、中間押え部３０とは別に押え部３４を設け、当該押え部３４によって複数の電線１４の少なくとも一部を押えるようにしているため、電線１４のはみ出しをより確実に抑制できる。
【００７３】
また、押え部３４の少なくとも一部が中間押え部３０に対してワイヤーハーネス１２の延在方向において重なっており、押え部３４の端部が、中間押え部３０の端部を避けるように分岐する分岐端部３４ｂに形成されており、この分岐端部３４ｂが一方の側壁部２６の被ロック部２９に係止固定されているため、中間押え部３０の基端部と押え部３４のロック構造部分とを、ワイヤーハーネス１２の延在方向においてずらすことができる。これにより、中間押え部３０及び押え部３４を開いた状態において、中間押え部３０、押え部３４、被ロック部２９等を相互に異なる位置に設けることができ、それらを容易に射出成形金型によって成型して型抜きできる形状に加工することができ、本プロテクタ２０を容易に製造できる。なお、本分基端部に係る構成を押え部の両端に適用すれば、本体部とは別体とされた押え部を本体部に取付けることができる。
【００７４】
また、中間押え部３０がヒンジ部３１ｈを介して本体部２２の一方の側壁部２６に一体形成され、中間押え部３０の先端部には、他方の側壁部２６に設けられた被ロック部２８に係止可能なロック部３２が設けられているため、本体部２２に対して中間押え部３０を一体化でき、その取扱が容易となる。
【００７５】
勿論、中間押え部が本体部に対して別体に構成されていてもよい。この場合には、中間押え部の両端部がロック構造によって一対の側壁部に固定される構成とすればよい。押え部についても、同様に、本体部とは別体とされていてもよい。
【００７６】
｛変形例｝
図１０は第１変形例に係るプロテクタ１２０を示す概略部分平面図であり、図１１は同プロテクタ１２０を示す概略部分側面図である。
【００７７】
このプロテクタ１２０では、中間押え部１３０及び押え部１３４が、ワイヤーハーネス１２の延在方向において異なる位置に設けられている。
【００７８】
なお、中間押え部１３０は、上記中間押え部３０と同様構成である。
【００７９】
また、押え部１３４は、次の点を除いて中間押え部１３０と同様構成である。すなわち、中間押え部１３０は、一対の側壁部２６の一方にヒンジ部を介して連結されているのに対し、押え部１３４は、一対の側壁部２６の他方にヒンジ部を介して連結されている。また、中間押え部１３０は、一対の側壁部２６の立設方向中間部に設けられるのに対し、押え部１３４は、一対の側壁部２６の先端部に設けられる。
【００８０】
このため、中間押え部１３０は、上記実施形態と同様に、複数の電線の一部を底板部２４に向けて押え、押え部１３４は、残りの複数の電線を中間押え部１３０の外側から底板部２４に向けて押えることができる。
【００８１】
このため、上記実施形態と同様に、プロテクタ１２０内にワイヤーハーネス１２を収容する際に、電線のはみ出しを抑制することができる。
【００８２】
特に、本変形例では、中間押え部１３０と押え部１３４との構成の簡易化を図りつつ、それらを本体部２２に対して容易に一体化することができる。
【００８３】
なお、曲げ部分２２ａの近くで電線を効果的に押えるため、最も外側で電線を押える押え部１３４が、曲げ部分２２ａの近くに設けられていることが好ましい。
【００８４】
図１２は、第２変形例に係るプロテクタ２２０を示す概略部分側面図である。
【００８５】
このプロテクタ２２０では、上記第１変形例に係るプロテクタ１２０において、中間押え部２３０Ａ、２３０Ｂが複数（ここでは２つ）設けられている。
【００８６】
一方の中間押え部２３０Ａは、一方の側壁部２６にヒンジ部を介して連結され、他方の中間押え部２３０Ｂは、他方の側壁部２６にヒンジ部を介して連結されている。また、これらの中間押え部２３０Ａ、２３０Ｂは、ワイヤーハーネス１２の延在方向においてずれた位置に設けられている。
【００８７】
そして、ワイヤーハーネス１２に含まれる複数の電線を順次本体部２２に収容し、その収容途中で順次、中間押え部２３０Ｂ、２３０Ａを閉じていくことで、上記実施形態と同様に、プロテクタ２２０内にワイヤーハーネス１２を収容する際に、電線のはみ出しを抑制することができる。
【００８８】
本変形例は、本体部２２の深さが深い場合、電線の本数が多い場合に特に有効である。
【００８９】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００９０】
１０  プロテクタ付ワイヤーハーネス
１２  ワイヤーハーネス
１４  電線
２０，１２０，２２０  プロテクタ
２２  本体部
２２ａ，２２ｂ  曲げ部分
２４  底板部
２６  側壁部
２８，２９  被ロック部
３０，１３０，２３０Ａ，２３０Ｂ  中間押え部
３２，３４，１３４  押え部
４０  蓋部
【図１】
2015146673.tif 000003
【図２】
2015146673.tif 000004
【図３】
2015146673.tif 000005
【図４】
2015146673.tif 000006
【図５】
2015146673.tif 000007
【図６】
2015146673.tif 000008
【図７】
2015146673.tif 000009
【図８】
2015146673.tif 000010
【図９】
2015146673.tif 000011
【図１０】
2015146673.tif 000012
【図１１】
2015146673.tif 000013
【図１２】
2015146673.tif 000014